(57)【特許請求の範囲】
【請求項１】
テープ先端のフック部材がテープの進退方向に移動して通常測定と共に突き当て測定ができる巻尺において、テープにマグネット部材が着脱自在に装着できるようになっており、マグネット部材が装着された際、マグネット部材のマグネットの端部がフック部材の突き当て測定位置でフック部材の係着部の前面と面一に位置することを特徴とする巻尺
【請求項２】
マグネットの端部が係着部のテープ短手方向の両側に位置するように設けられていることを特徴とする請求項１の巻尺
【請求項３】
マグネットの端部が係着部のテープ面方向の少なくとも下方に位置するように設けられていることを特徴とする請求項１の巻尺
【請求項４】
マグネット部材の装着構造は、マグネット部材に形成された任意の形状の突起がテープの表裏に貫通する通孔に着脱自在に係着できるようになっていることを特徴とする請求項１の巻尺
【請求項５】
通孔が切欠きとされ、その切欠きの一部または全部に任意の形状の突起が着脱自在に係着できるようになっていることを特徴とする請求項４の巻尺
【請求項６】
マグネット部材の装着構造は、マグネット部材に設けられている第２のマグネットによってテープに磁着できるようになっており、且つテープにマグネット部材の位置決め手段が設けられていることを特徴とする請求項１の巻尺
【請求項７】
フック部材の係着部の前面と面一に端部が位置するマグネットとマグネット部材をテープに磁着させるための第２のマグネットが兼用になっていることを特徴とする請求項６の巻尺
【請求項８】
マグネット部材の装着構造は、テープを面方向でまたは短手方向で挟着できるようになっており、且つテープにマグネット部材の位置決め手段が設けられていることを特徴とする請求項１の巻尺
【請求項９】
マグネット部材の位置決め手段が、マグネット部材に設けられた突起がテープに設けられた通孔または切欠きに係着するものであることを特徴とする請求項８の巻尺
【発明の詳細な説明】
【技術分野】
【０００１】
本発明は、マグネット磁着可能な金属部材に対して行う突き当て測定の際、必要に応じてテープ先端部を突き当て測定位置で固定できるようにした巻尺に関するものである。
【背景技術】
【０００２】
従来、テープの先端に備えるフックにマグネットを設け、マグネットの磁力によってフックを所定の金属に磁着できるようにした巻尺は種々ある。これらのものは、単にマグネットをフックの係着部に設けたもので、その形態としては、フックの係着部に通孔を形成して、その通孔に適当なマグネットを圧入等によって取り付けたものである。
また、マグネットがフックの係着面から突出するものは、マグネットの突出分を考慮してフックの進退移動距離を長くして、フックを引っ掛けて行う通常測定とフックを突き当てて行う突当て測定の際の測定誤差をキャンセルしている。
【発明の開示】
【発明が解決しようとする課題】
【０００３】
そして、フックにマグネットを設けたことによる最大のメリットは、マグネットの磁力によってフックを所定の金属に磁着できることであって、これにより、テープ先端をより安定した状態で披測定金属部材に係着できるのである。
しかしながら、上述のようなマグネットを設けたフックは、測定時の誤差をキャンセルできるようになっているだけで、突当て測定の際には、テープをフック方向に押しながら測定しなければならないのである。
【０００４】
すなわち、フックが進退方向に移動できるようになっているので、測定の際にテープが巻き取り方向に引っ張られると、フックの移動分の誤差を生じてしまうからである。
突当て測定を行う距離が極めて短い場合は、目視でテープが巻き取り方向に引っ張られていないかを確認できるが、測定を行う距離が長い場合は、目視ではフック部の状態を確認することは不可能である。また、確認することが不可能であるためにテープは強く押されることになり、このため直線で張られているテープに歪みが生じて、今度はこの歪分の誤差を生じてしまうのである。
【０００５】
また、フックにマグネットが固定的に設けられているために磁着を必要としない測定作業の際もフックが金属に磁着し、測定作業がかえってやり難くなってしまうこともある。
従って、本発明は上述した問題点に鑑みてなされたもので、マグネット磁着可能な金属部材に対して行う突き当て測定の際、テープ先端を被測定金属部材に突き当て測定位置で固定できるようにすると共に、その固定を必要に応じてできるようにした巻尺を提供することを目的とするものである。
【課題を解決するための手段】
【０００６】
本発明の要旨とするところは、テープ先端のフック部材がテープの進退方向に移動して通常測定と共に突き当て測定ができる巻尺において、テープにマグネット部材が着脱自在に装着できるようになっており、マグネット部材が装着された際、マグネット部材のマグネットの端部がフック部材の突き当て測定位置でフック部材の係着部の前面と面一に位置することを特徴とする巻尺である。
【０００７】
本発明の巻尺を詳しく説明すると、テープは測定用の任意の目盛が表示されており、テープ先端には測定物の角部に引っ掛けるための係着部が形成されたフック部材が設けられ、その係着部はテープ面と直角下方向に突出している。また、フック部材は係着部の前側（前面）を任意の部材に押し当てて行う突き当て測定の際、テープの０点調節によって係着部の厚みだけ後退できるようになっている。さらには、フック部材にフェライト／希土類／ネオジウム等の任意のマグネットが設けられて、そのマグネットの磁力によってフック部材が所定の金属に磁着できるようになっているものもある。
そして、テープの形態は、直立できるように短手方向に湾曲するものや平坦なものがある。
【０００８】
前述のフック部材は、樹脂や金属等の任意の素材を一体的に成型したものと共に、フック部材に別部材が付加されているものも含む。また、フック部材の形態はかぎ手状（Ｌ字状）になっておりそれがテープの表面上に設けられている。そのフック部材のテープ先端方向の端部から披測定物に引っ掛けるためのかぎ手すなわち係着部がテープ面と直角下方向に突出している。
また、テープ先端方向の端部からテープ面と平行に且つテープの巻き取り方向にアームが設けられて、そのアームにテープの長手方向に長円状の通孔が形成されている。その通孔にテープに立設され且つフック部材を脱不能に構成されたピンが遊嵌されている。
【０００９】
テープは巻尺の本体となる樹脂や金属等の任意の素材からなるケースに収納されており、その収納形態は、ケース内に回転可能に支持された回転ドラムの周囲に巻回されている。また、回転ドラムの内部にはバネが設けられており、回転ドラムはそのバネによってテープを常に回転ドラムの周囲に巻き取る方向に付勢されている。そのバネはテープのケース内からの引き出しによる回転ドラムの回転によってバネに付勢力が蓄積される。
そして、テープ先端のフックすなわちフック部材の係着部がケースのテープ出入口に係止されることによってテープのケース内への引き込まれが防止される。テープは、テープ出入口に係止される際、そのテープ出入口にテープの進退方向に動作してフックの衝突エネルギーを緩和（吸収作用も含む）する衝撃緩衝装置が設けられているものもある。その衝撃緩衝装置の形態もケースの形態やテープ巻き取りスピード等によって選定され配設される。
【００１０】
マグネット部材とは、マグネット単体あるいはマグネットに任意の部材が付加されてなるもので、また、任意の部材とは、樹脂また金属等の素材から形成されたマグネットの保持部材等である。勿論、マグネットの保持以外の目的に設けられた部材もあってもよい。マグネットの種類や磁着力の選定も巻尺の使用形態や使用目的等を考慮によって決めればよい。マグネットの種類としては希土類／ネオジウム等のものを用いてもよい。
そのマグネット部材が装着された際、マグネット部材のマグネットの端部がフック部材の突き当て測定位置でフック部材の係着部の前面と面一に位置する。すなわち、フック部材が通常測定位置あるいは突き当て測定位置等のどのような位置にあっても、テープに装着されたマグネット部材のマグネットの端部はフック部材が突き当て測定位置にある時のフック部材の係着部の前面と面一に位置するように、マグネット部材が固定的にテープに装着されるようになっている。
【００１１】
そして、マグネット部材がテープに装着された際、フック部材の係着部の前面と面一に位置するマグネットの端部は、例えば、断面四角形／断面円形の端面形状とすればよい。また、この形状に限定するものではなく、直線部位をフック部材の係着部側に位置させた断面略半円形としてもよい。
フック部材の係着部に対しマグネットの一端が位置する方位も、測定作業の形態を考慮して係着部のテープ短手方向の両側に位置させたり、テープ面方向の少なくとも下方に位置させてもよい。勿論、この方位に限定するものではなく、係着部の周囲の任意の方位または全周を囲を取り囲むように設けてもよい。マグネットの配設数も特に限定するものではなく、１個あるいは複数個としてもよい。さらには、マグネットを１個とし且つ係着部の前面と面一に位置する端部が複数あるようにしてもよい。マグネットの形状も特に限定するものではなく、直線的に形成されている柱状形状であっても、また、Ｕ字状に形成されているものでもよく、所望の形状のものも選定して用いればよい。Ｕ字状のものは、その自由端を係着部のテープ短手方向の両側に位置させればよい。
【００１２】
そのマグネット部材は、少なくともテープに着脱自在に装着できるように構成されている。マグネット部材を装着するテープの部位も特に限定するものではなく、例えば、テープの表面または裏面、また、テープの側部であり、さらに、テープの表面／裏面／側部の部位が任意に組み合わされ、あるいは、その全部に掛かるようにマグネット部材を係着してもよい。勿論、グネット部材の装着部位はテープの形態によってその装着部位を決定すればよい。
【００１３】
そして、テープにマグネット部材を着脱自在に装着できるようにするための構造も特に限定するものではなく、マグネット部材に形成した任意の形状の突起をテープの表裏に貫通する通孔に着脱自在に係着できるようにしてもよい。また、その通孔はマグネット部材の位置決めともなる。
その突起と通孔の関係は、通孔に突起を挿入することによって突起が通孔から脱落不能に係着され、そして、マグネット部材あるいは突起にその突起を通孔から抜く方向の力を加えることによって突起が通孔から抜け、マグネット部材がテープ面上から外れるように構成されていることである。例えば、通孔を突起の径より少々狭い径とし、突起をその通孔に強制的に通過させることによって突起を通孔に係着させたり、あるいは、膨状部や鍔状部を突起の先端等に形成し、その膨状部や鍔状部を強制的に通孔に通過させるようにてもよい。突起が柱状の場合は、その柱状部の径を同一としたり、また、テーパー状にしてもよい。
勿論、第三の部材を用いて突起を通孔に着脱自在に係着させてもよい。突起とは、通孔と係着させるために突出状に設けられた任意の形状の部材の全てを指すものである。
【００１４】
マグネット部材の突起を形成する部位も特に限定するものではなく、マグネット部材の任意の部位に形成すればよい。また、突起も１つでも複数個でもよく、マグネット部材の大きさ等を考慮して決定すればよい。
例えば、突起がマグネット部材の中央に設けられる場合は、その突起は通孔によって係着されるのがよく、その通孔はテープ部材の表裏に貫通する所定の径の開口となる。また、突起がマグネット部材の両側に設けられる場合は、その突起は切欠きによって係着されるのがよく、その切欠きはテープ部材の両側に形成された所定の形状の切欠きとなる。切り欠きの形状も特に限定するものではなく、例えば、切り欠きの開口幅と同一幅で切り欠きの奥行開口部を形成したり、切り欠きの開口幅より奥広に切り欠きの奥行開口部を形成してもよい。
【００１５】
また、他のマグネット部材をテープに着脱自在に装着する形態としては、マグネット部材自体あるいはマグネット部材に挟着手段を設けて、その挟着手段によってマグネット部材をテープに装着させてもよい。マグネット部材のテープへの挟着部位としては、テープの表裏面あるいは短手方向両側端部を挟着するようにしてもよい。
そして、装着と共にマグネット部材のマグネットの端部がフック部材の突き当て測定位置でフック部材の係着部の前面と面一に位置なるようにテープにマグネット部材の位置決め手段を設けるのがよい。そのマグネット部材の位置決め手段も特に限定するものではなく、マグネット部材のテープへの装着と共に位置決めされるようになっているものがよく、例えば、マグネット部材の任意の部位に設けた突起をテープの表裏面を貫通する通孔またはテープ短手方向側端に設けた切欠きに係着させてもよい。マグネット部材に設ける突起は突状でも突出部でもよく、あるいは、マグネットまたはマグネット保護部材の一部分であってもよい。そして、テープ短手方向側端に設けた切欠きは両側端に設けるのがよい。その切欠きの形状は、突起等が容易に係着できる形状であれば特に限定するものではない。
【００１６】
さらに、マグネット部材をテープに着脱自在に装着する他の形態としては、マグネット部材に第２のマグネットを設け、そのマグネットの磁力によってテープに磁着させてもよく、その際、任意の位置決め手段を設けて、所定のマグネットの端部がフック部材の突き当て測定位置でフック部材の係着部の前面と面一に位置するようにする。その位置決め手段としては、テープに通孔また切り欠きを設けてそれを位置決め手段としてもよい。
さらには、フック部材の係着部の前面と面一に端部が位置するマグネットとマグネット部材をテープに磁着させるための第２のマグネットを兼用としてもよい。すなわち、フック部材の係着部の前面と面一に端部が位置するマグネットの任意の部位の磁力を利用して、マグネット部材をテープに磁着させるようにしてもよい。
【００１７】
従って、本発明の巻尺は以上のように構成されているので、マグネット磁着可能な金属部材に対して行う突き当て測定の際は、マグネット部材に備える突起をテープに設けられている通孔に挿入してマグネット部材をテープ面に装着する。
そして、テープを伸ばしテープ先端に有するフック部材を金属部材に突き当てることによってマグネット部材のマグネットが金属部材に磁着し、その磁着と同時にフック部材の位置が自動修正され、且つそのフック部材が突き当て測定位置で固定される。
【発明の効果】
【００１８】
本発明の本発明の巻尺は以上のように構成されているので、マグネット磁着可能な金属部材に対して行う突き当て測定の際、マグネット部材をテープに装着して突き当て測定を行うことによってテープ先端すなわちフック部材の係着部の前面を金属部材に固定でき、且つそのフック部材を突き当て測定位置で固定することができる。従って、金属部材を扱う造船業やビル建築現場また鉄工所等で行われる測定作業やマーキング作業を正確に且つ容易に行うことができる。また、テープからマグネット部材を取り外すことにより、いつでも巻尺を通常の測定形態に戻すことができる。
そして、現在生産されている巻尺に適用する際も、テープの所定の部位にマグネット部材取付用の通孔を穿設するだけで容易に用いることができる。
さらには、生産されるテープの所定の位置にマグネット部材取付用の通孔を穿設しておくことにより、マグネット部材を別売りのアタッチメントとして単体で販売できる。
【発明を実施するための最良の形態】
【００１９】
本発明の巻尺を以下図面に従って説明すると、図１は、本発明に係わる巻尺のテープ先端部分の拡大図、図２は、テープ先端部分の下方から見た拡大、図３は、テープ先端部分の一部断面拡大図、図４は、テープ先端部分の一部断面拡大図である。
１は巻尺のテープ、２は測定の際にテープ１先端を固定するためのフック、２ａは部材の角部に引っ掛けるための係着部、２ｂはアーム部２ｃの表裏を貫通する通孔、２ｃはアーム部、２ｄはテープ１に固定され且つフック２の通孔２ｂに遊嵌状態で通過されているリベットである。３はマグネットホルダー、３ａはマグネットホルダー３に設けられたマグネット、３ｂはテープ１に設けられた通孔１ａに係着される係着突起である。マグネットホルダー３が装着されるとマグネット３ａはフック２の両側に配設される。
そして、本図に示すマグネットホルダー３は、その係着突起３ｂをテープ１に設けられた通孔１ａに係着することによってテープ１の下面に装着される。また、通孔１ａはマグネットホルダー３の位置決めともなる。
【００２０】
図５は、磁着時の状態を示す一部断面拡大図であり、テープ１の先端に備えるフック２の係着部２ａが金属部材４に突き当てられると、その突き当てられたフック２はテープ１の０点調節によってフック２の係着部２ａの厚みだけ後退し、その後退は、テープ１に装着されたマグネットホルダー３の先端部分に設けられているマグネット３ａの先端面が金属部材４に磁着することによってフック２が強制的に後退させられる。
【００２１】
図６および図７は、マグネットホルダーの一例を示す斜視図であり、図６のマグネットホルダー３は、その上面が平坦になっているもので、図７のマグネットホルダー３は、その上面の一部がテープ１の短手方向の湾曲と同一の形状になっているものである。図６／図７のマグネットホルダー３は、テープ１の形態や測定場所に応じて選定される。
【００２２】
図８は、マグネットの配置例を示す図であり、（ａ）図は、フック２の係着部２ａの両側と下方の３方に配置したもので、（ｂ）図は、フック２の係着部２ａの両側と上方および下方の４方全てに配置したものである。
これらの配置は、特にテープを長く伸出する際、また、テープ幅（短手方向）が広いテープを用いる際に有効となる。
【００２３】
図９は、テープおよびマグネットホルダーの形態を示す図であり、（ａ）図は、マグネットホルダー３が装着されるテープ１の形態を示すもので、テープ１にはマグネットホルダー３の位置決め用の通孔１ａが１箇所設けられている。（ｂ）図は、（ａ）図のテープ１に装着するマグネットホルダー３の形態を示すもので、本図のマグネットホルダー３は上面が平坦になっているもので、また、挟着状態で装着するようになっているものである。マグネットホルダー３の３ｂはテープ１の通孔１ａに嵌合する位置決め用の係着突起、３ｃはテープ１の両側縁を挟むための挟着具、３ｄは挟着具３ｃの操作部、３ｅは挟着具３ｃのアーム部、３ｆはテープ１両側縁に挟着する係着部、３ｇは挟着具３ｃを支持する支持部である。
【００２４】
図１０は、マグネットホルダーの上面図であり、テープ１の裏面すなわちテープ１先端に設けられたフック２の係着部２ａの突出方向の面と対向する側の面である。３はマグネットホルダー、３ａはマグネット、３ｂはテープ１の通孔１ａに嵌合する係着突起、３ｃはテープ１両側縁を挟むための挟着具、３ｄは挟着具３ｃの操作部、３ｆはテープ１の両側縁に挟着する係着部である。
【００２５】
図１１は、マグネットホルダーの装着形態を示す一部断面図であり、（ａ）図は、マグネットホルダー３をテープ１に装着するために、挟着具３ｃの操作部３ｄを内方すなわちマグネットホルダー３側に押して係着部３ｆが設けられたアーム部３ｅを外方に開いた状態を示すものである。（ｂ）図は、マグネットホルダー３がテープ１に装着された状態を示すもので、マグネットホルダー３の係着突起３ｂがテープ１の通孔１ａに嵌合され、さらに、挟着具３ｃのアーム部３ｅがテープ１の両側縁を挟み、且つ係着部３ｆがテープ１の表面上に位置する。
これにより、マグネットホルダー３がテープ１の所定の位置に保持され、金属部材への突き当て測定の際、フック２が突き当て測定位置で保持され且つ金属部材表面に固定することができる。
【００２６】
図１２は、テープおよびマグネットホルダーの形態を示す図であり、（ａ）図は、マグネットホルダー３が装着されるテープ１の形態を示すもので、テープ１にはマグネットホルダー３の位置決め用の切欠き１ｂがその側縁の４箇所に設けられている。（ｂ）図は、（ａ）図のテープ１に装着するマグネットホルダー３の形態を示すもので、本図のマグネットホルダー３は上面がテープ１の短手方向の湾曲と同一の形状になっているもので、また、挟着状態で装着するようになっているものである。マグネットホルダー３の３ｃはテープ１の両側縁を挟むための挟着具、３ｄは挟着具３ｃの操作部、３ｅは挟着具３ｃのアーム部、３ｆはテープ１両側縁に挟着する係着部、３ｇは挟着具３ｃを支持する支持部、３ｈはテープ１に設けられた切欠き１ｂに係着する係着突条である。
【００２７】
図１３は、マグネットホルダーの上面図であり、テープ１の裏面すなわちテープ１先端に設けられたフック２の係着部２ａの突出方向の面と対向する側の面である。３はマグネットホルダー、３ａはマグネット、３ｃはテープ１両側縁を挟むための挟着具、３ｄは挟着具３ｃの操作部、３ｆはテープ１の両側縁に挟着する係着部、３ｈはテープ１の切欠き１ｂに係着する係着突条である。
【００２８】
図１４は、マグネットホルダーの装着形態を示す一部断面図であり、（ａ）図は、マグネットホルダー３をテープ１に装着するために、挟着具３ｃの操作部３ｄを内方すなわちマグネットホルダー３側に押して係着部３ｆと係着突条３ｈが設けられたアーム部３ｅを外方に開いた状態を示すものである。（ｂ）図は、マグネットホルダー３がテープ１に装着された状態を示すもので、マグネットホルダー３の係着突条３ｈがテープ１の切欠き１ｂに係着され、さらに、挟着具３ｃのアーム部３ｅがテープ１の両側縁を挟み、且つ係着部３ｆがテープ１の表面上に位置する。
これにより、マグネットホルダー３がテープ１の所定の位置に保持され、金属部材への突き当て測定の際、フック２が突き当て測定位置で保持され且つ金属部材表面に固定することができる。
【００２９】
図１５は、テープおよびマグネットホルダーの形態を示す図であり、（ａ）図は、マグネットホルダー３が装着されるテープ１の形態を示すもので、テープ１にはマグネットホルダー３の位置決め用の通孔１ａが２箇所設けられている。（ｂ）図は、（ａ）図のテープ１に装着するマグネットホルダー３の形態を示すもので、本図のマグネットホルダー３は上面がテープ１の短手方向の湾曲と同一の形状になっているもので、また、磁着状態で装着するようになっているものである。マグネットホルダー３の３ｂはテープ１の通孔１ａに嵌合する位置決め用の係着突起、３ｉはテープ１の裏面に磁着するためのマグネットである。
【００３０】
図１６は、マグネットホルダーの上面図であり、テープ１の裏面すなわちテープ１先端に設けられたフック２の係着部２ａの突出方向の面と対向する側の面である。３はマグネットホルダー、３ａはマグネット、３ｂはテープ１の通孔１ａに嵌合する係着突起、３ｉはテープ１の裏面に磁着するためのマグネットである。
【００３１】
図１７は、マグネットホルダーの装着形態を示す一部断面図であり、（ａ）図は、マグネットホルダー３を示すものである。（ｂ）図は、マグネットホルダー３がテープ１に装着された状態を示すもので、マグネットホルダー３の係着突起３ｂがテープ１の通孔１ａに嵌合され、さらに、マグネット３ｉがテープ１の裏面に磁着する。
これにより、マグネットホルダー３がテープ１の所定の位置に保持され、金属部材への突き当て測定の際、フック２が突き当て測定位置で保持され且つ金属部材表面に固定することができる。
【００３２】
図１８は、テープおよびマグネットホルダーの形態を示す図であり、（ａ）図は、マグネットホルダー３が装着されるテープ１の形態を示すもので、テープ１にはマグネットホルダー３の位置決め用の通孔１ａが２箇所設けられている。（ｂ）図は、（ａ）図のテープ１に装着するマグネットホルダー３の形態を示すもので、本図のマグネットホルダー３は上面がテープ１の短手方向の湾曲と同一の形状になっているもので、また、挟着状態で装着するようになっているものである。
マグネットホルダー３の３ｃはテープ１の表面を挟むための挟着具、３ｄは挟着具３ｃの操作部、３ｅは挟着具３ｃのアーム部、３ｇは挟着具３ｃを支持する支持部、３ｊはテープ１の通孔１ａに嵌合する係着突起である。
【００３３】
図１９は、マグネットホルダーの上面図であり、テープ１の裏面すなわちテープ１先端に設けられたフック２の係着部２ａの突出方向の面と対向する側の面である。３はマグネットホルダー、３ａはマグネット、３ｃはの表面を挟むための挟着具、３ｄは挟着具３ｃの操作部、３ｅは挟着具３ｃのアーム部である。
【００３４】
図２０は、マグネットホルダーの装着形態を示す一部断面図であり、（ａ）図は、マグネットホルダー３をテープ１に装着するために、挟着具３ｃの操作部３ｄを押して係着突起３ｊが設けられたアーム部３ｅを開いた状態を示すもので、また、３ｋは係着突起３ｊが収納される凹所である。（ｂ）図は、マグネットホルダー３がテープ１に装着された状態を示すもので、マグネットホルダー３の挟着具３ｃの係着突起３ｊがテープ１の通孔１ａに嵌合され、さらに、マグネットホルダー３の本体と挟着具３ｃのアーム部３ｅの先端とでテープ１の表裏面を挟む。
これにより、マグネットホルダー３がテープ１の所定の位置に保持され、金属部材への突き当て測定の際、フック２が突き当て測定位置で保持され且つ金属部材表面に固定することができる。
【００３５】
図２１は、テープおよびマグネットホルダーの形態を示す図であり、（ａ）図は、マグネットホルダー３が装着されるテープ１の形態を示すもので、テープ１にはマグネットホルダー３の位置決め用の通孔１ａが２箇所設けられている。（ｂ）図は、（ａ）図のテープ１に装着するマグネットホルダー３の形態を示すもので、本図のマグネットホルダー３は下面がテープ１の短手方向の湾曲と同一の形状になっているもので、また、磁着状態で装着するようになっているものである。マグネットホルダー３の３ｂはテープ１の通孔１ａに嵌合する位置決め用の係着突起、３ｉはテープ１の表面に磁着するためのマグネットである。
【００３６】
図２２は、マグネットホルダーの下面図であり、テープ１の表面すなわちテープ１先端に設けられたフック２の係着部２ａの突出方向と反対側の面である。３はマグネットホルダー、３ａはマグネット、３ｂはテープ１の通孔１ａに嵌合する係着突起、３ｉはテープ１の表面に磁着するためのマグネットである。
【００３７】
図２３は、マグネットホルダーの装着形態を示す一部断面図であり、（ａ）図は、マグネットホルダー３を示すものである。（ｂ）図は、マグネットホルダー３がテープ１に装着された状態を示すもので、マグネットホルダー３の係着突起３ｂがテープ１の通孔１ａに嵌合され、さらに、マグネット３ｉがテープ１の表面に磁着する。
これにより、マグネットホルダー３がテープ１の所定の位置に保持され、金属部材への突き当て測定の際、フック２が突き当て測定位置で保持され且つ金属部材表面に固定することができる。
【００３８】
図２４は、他の形態の係着突起を示す拡大図であり、テープ１の通孔１ａと係着突起３ｂとの係着状態を確実に維持できるようにする形態の一例である。（ａ）図は、係着突起３ｂの頭部に膨状部を設けて膨状頭部３ｂ１としたものである。（ｂ）図は、係着突起３ｂの頭部に鍔状部を設けて鍔状頭部３ｂ２としたものである。いずれのものも、通孔１ａに係着（係合）した係着突起３ｂの外れを防止するものである。
【００３９】
図２５は、巻尺の使用状態の比較を示す図であり、本図は、本発明に係わる巻尺と従来のマグネットを備える巻尺の測定状態を比較した図である。（ａ）図は、本発明に係わる巻尺５による測定状態で、テープ１は、金属部材４と巻尺５間で直線的に張られる。すなわち、テープ１に装着されたマグネットホルダー３のマグネット３ａが金属部材４に磁着し、その磁着状態においてフック２は突き当て測定位置に強制的に移動されるのでテープ１の０点がずれることがないのである。（ｂ）図は、従来のマグネットを備える巻尺による測定状態で、テープ６１は、金属部材４と巻尺６間で変形することがある。すなわち、フック６２がマグネット６３によって磁着した状態であっても、フック６２の進退機構によってテープ６１を巻尺６方向に引っ張ることができてしまうので、常にテープ６１をフック６２方向（金属部材４方向）に押していなければならず、従って、押す力が大きくなるとテープ６１が撓み（変形）また、撓みをなくすとテープが引っ張られる状態になってしまうからである。
【図面の簡単な説明】
【００４０】
【図１】本発明に係わる巻尺のテープ先端部分の拡大図
【図２】テープ先端部分の下方から見た拡大図
【図３】テープ先端部分の一部断面拡大図
【図４】テープ先端部分の一部断面拡大図
【図５】磁着時の状態を示す一部断面拡大図
【図６】マグネットホルダーの一例を示す斜視図
【図７】マグネットホルダーの一例を示す斜視図
【図８】マグネットの配置例を示す図
【図９】テープおよびマグネットホルダーの形態を示す図
【図１０】マグネットホルダーの上面図
【図１１】マグネットホルダーの装着形態を示す一部断面図
【図１２】テープおよびマグネットホルダーの形態を示す図
【図１３】マグネットホルダーの上面図
【図１４】マグネットホルダーの装着形態を示す一部断面図
【図１５】テープおよびマグネットホルダーの形態を示す図
【図１６】マグネットホルダーの上面図
【図１７】マグネットホルダーの装着形態を示す一部断面図
【図１８】テープおよびマグネットホルダーの形態を示す図
【図１９】マグネットホルダーの上面図
【図２０】マグネットホルダーの装着形態を示す一部断面図
【図２１】テープおよびマグネットホルダーの形態を示す図
【図２２】マグネットホルダーの下面図
【図２３】マグネットホルダーの装着形態を示す一部断面図
【図２４】他の形態の係着突起を示す拡大図
【図２５】巻尺の使用状態の比較を示す図
【符号の説明】
【００４１】
１−テープ，１ａ−通孔，１ｂ−切欠き，２−フック，２ａ−係着部，２ｂ−通孔，２ｃ−アーム部，２ｄ−リベット，３−マグネットホルダー，３ａ−マグネット，３ｂ−係着突起，３ｂ１−膨状頭部，３ｂ２−鍔状頭部，３ｃ−挟着具，３ｄ−操作部，３ｅ−アーム部，３ｆ−係着部，３ｇ−支持部，３ｈ−係着突条，３ｉ−マグネット，３ｊ−係着突起，３ｋ−凹所，４−金属部材，５−巻尺，６−巻尺，６１−テープ，６２−フック，６３−マグネット
【図１】
0004769506.tif 000002
【図２】
0004769506.tif 000003
【図３】
0004769506.tif 000004
【図４】
0004769506.tif 000005
【図５】
0004769506.tif 000006
【図６】
0004769506.tif 000007
【図７】
0004769506.tif 000008
【図８】
0004769506.tif 000009
【図９】
0004769506.tif 000010
【図１０】
0004769506.tif 000011
【図１１】
0004769506.tif 000012
【図１２】
0004769506.tif 000013
【図１３】
0004769506.tif 000014
【図１４】
0004769506.tif 000015
【図１５】
0004769506.tif 000016
【図１６】
0004769506.tif 000017
【図１７】
0004769506.tif 000018
【図１８】
0004769506.tif 000019
【図１９】
0004769506.tif 000020
【図２０】
0004769506.tif 000021
【図２１】
0004769506.tif 000022
【図２２】
0004769506.tif 000023
【図２３】
0004769506.tif 000024
【図２４】
0004769506.tif 000025
【図２５】
0004769506.tif 000026